(57)【要約】【課題】搬送ズレを補正可能な搬送ズレ補正機構を提供する。【解決手段】フィルム巻取りコア２の前段に備えられ、搬送ズレを補正する搬送ズレ補正手段１と、搬送ズレ補正手段の位置を移動させる移動手段と、搬送ズレ補正手段の前段に備えられ、フィルム巻取りコアと搬送ズレ補正手段と共に、フィルム３を支持する搬送路コーナー部シャフト６と、搬送ズレ補正手段と、搬送路コーナー部シャフトと、の間に備えられ、フィルムの流れ方向と直交する方向の搬送ズレを頭出しマークにより検知する搬送ズレ検知手段５と、を備え、搬送ズレ補正手段は、フィルムの上側と下側に備えられた、少なくとも一対のスパイラルローラー１−１、１−２を備えており、上側と下側のスパイラルローラーの巻き方向が互いに逆であり、移動手段は、搬送ズレ検知手段が検知した搬送ズレに関する情報に基づいて搬送ズレ補正手段を移動する手段であることを特徴とする搬送ズレ補正機構１０。【選択図】図１
2020125165.tif 000002
【特許請求の範囲】
【請求項１】
フィルムの搬送が基準の位置で搬送されているかどうか、を検出可能とする頭出しマークを備えているフィルムの搬送ズレを補正する搬送ズレ補正機構であって、
フィルムを巻き取るフィルム巻取りコアと、
フィルム巻取りコアの前段に備えられ、搬送ズレを補正する搬送ズレ補正手段と、
搬送ズレ補正手段の位置を移動させる移動手段と、
搬送ズレ補正手段の前段に備えられ、フィルム巻取りコアと搬送ズレ補正手段と共に、フィルムを張った状態に支持する搬送路コーナー部シャフトと、
搬送ズレ補正手段と、搬送路コーナー部シャフトと、の間に備えられ、フィルムの流れ方向と直交する方向の搬送ズレを頭出しマークにより検知する搬送ズレ検知手段と、を備えており、
搬送ズレ補正手段は、フィルムの上側と下側に備えられた、少なくとも一対のスパイラルローラーを備えており、上側と下側のスパイラルローラーのスパイラルの巻き方向が互いに逆であり、
移動手段は、搬送ズレ検知手段が検知した搬送ズレに関する情報に基づいて搬送ズレ補正手段を移動する手段であることを特徴とする搬送ズレ補正機構。
【請求項２】
請求項１に記載の搬送ズレ補正機構を備えていることを特徴とする間接転写方式カードプリンタ。
【請求項３】
請求項１に記載の搬送ズレ補正機構による搬送ズレ補正方法であって、
前記搬送ズレ検知手段が、前記フィルムの搬送ズレを検知するステップ１と、
ステップ１で得た搬送ズレに関する情報に基づき、前記搬送ズレ補正手段の上側または下側の前記スパイラルローラーのどちら側に前記フィルムを接触させるかを決定するステップ２と、
ステップ２で決定した内容に基づいて前記搬送ズレ補正手段を前記移動手段が移動させるステップ３と、
ステップ１〜３を繰り返すことによって、搬送ズレが無くなった場合、前記移動手段が搬送ズレ補正手段を、前記フィルムが上側と下側のいずれのスパイラルローラーとも接しない位置に移動するステップ４と、を備えていることを特徴とする搬送ズレ補正方法。
【発明の詳細な説明】
【技術分野】
【０００１】
本発明は、間接転写方式カードプリンタにおける転写フィルムやインクリボンの搬送ズレや巻きズレ防止技術に関する。
【背景技術】
【０００２】
ＳＩＭカードやＵＩＭカードと呼ばれる通常のＩＣカードより小型のＩＣカードに、文字やマークなどを印刷する場合、サーマルヘッドによりインクリボンのインキ層を直接的に転写するカードプリンタでは、印刷面が平坦で無いため良好な印刷が困難であった。
【０００３】
そのため、中間転写フィルムを介して被印刷物に印刷する間接転写方式カードプリンタが使用されている。
【０００４】
間接転写方式カードプリンタは、インクリボンの巻回体から巻き出されたインクリボンのインキ層を、サーマルヘッドを用いて、中間転写フィルムに一旦転写した後、中間転写フィルムから被印刷物に転写する方式のカードプリンタである。
【０００５】
間接転写方式カードプリンタにおいて使用するインクリボンは、厚さが３μｍ〜６μｍの非常に薄いフィルムを支持基材としているため、機械的な強度が足りず、写真フィルムの幅方向の両端に備えられているパーフォレーション（Ｐｅｒｆｏｒａｔｉｏｎ、穿孔）をスプロケット（Ｓｐｒｏｃｋｅｔ、歯車）によって保持して送る手段が使用できない。そのため、間接転写方式カードプリンタにおいては、搬送ズレを防止するための手段が備えられていなかった。
【０００６】
パーフォレーションを形成していないフィルムを搬送する場合のフィルムの搬送ズレを抑制する技術としては、例えば特許文献１に、生産性を著しく低下させること無く、フィルムを所定の位置に精度良く位置合わせすることができる位置合わせ装置が開示されている。
この技術は、被転写物に転写フィルム上の図柄を対応させると共に、この状態で転写パッドにより転写フィルムを加熱しながら被転写物に押し付けることにより図柄を被転写物に転写する熱転写装置において、１つの転写が終了後、転写フィルムを１ピッチだけ間欠的に移送して、次に転写する図柄に位置合わせする転写フィルムの送り装置に関するものである。
具体的には、間欠的に転写フィルムを移送する際、転写フィルムに備えられた遮光性の位置合わせマークが転写フィルムの流れ方向に沿って移動する状態を光センサが捉え、光センサの取得した情報に基づいて、転写フィルムを高速に送る場合と、低速に送る場合と、停止する場合を判定する技術である。位置合わせマークを使用しない領域では高速に送り、位置合わせマークに近づくと低速で送り、位置合わせが完了すると停止する送り装置が開示されている。
【０００７】
しかしながら、特許文献１に開示されている技術は、転写フィルムを搬送する方向に対する位置合わせはするが、搬送する方向と直交する方向の搬送ズレに関しては何ら配慮されていない。
【先行技術文献】
【特許文献】
【０００８】
【特許文献１】特開昭６３−１７６１５１号公報
【発明の概要】
【発明が解決しようとする課題】
【０００９】
上記の事情に鑑み、本発明は、間接転写方式カードプリンタにおける転写フィルムとインクリボンの流れ方向に直交する搬送ズレを補正可能な搬送ズレ補正機構およびその機構を備えた間接転写方式カードプリンタを提供することを課題とする。
【課題を解決するための手段】
【００１０】
上記の課題を解決する手段として、本発明の請求項１に記載の発明は、間接転写方式カードプリンタにおいて、フィルムの搬送が基準の位置で搬送されているかどうか、を検出可能とする頭出しマークを備えているフィルムの搬送ズレを補正する搬送ズレ補正機構であって、
フィルムを巻き取るフィルム巻取りコアと、
フィルム巻取りコアの前段に備えられ、搬送ズレを補正する搬送ズレ補正手段と、
搬送ズレ補正手段の位置を移動させる移動手段と、
搬送ズレ補正手段の前段に備えられ、フィルム巻取りコアと搬送ズレ補正手段と共に、フィルムを張った状態に支持する搬送路コーナー部シャフトと、
搬送ズレ補正手段と、搬送路コーナー部シャフトと、の間に備えられ、フィルムの流れ方向と直交する方向の搬送ズレを頭出しマークにより検知する搬送ズレ検知手段と、を備えており、
搬送ズレ補正手段は、フィルムの上側と下側に備えられた、少なくとも一対のスパイラルローラーを備えており、上側と下側のスパイラルローラーのスパイラルの巻き方向が互いに逆であり、
移動手段は、搬送ズレ検知手段が検知した搬送ズレに関する情報に基づいて搬送ズレ補正手段を移動する手段であることを特徴とする搬送ズレ補正機構である。
【００１１】
また、請求項２に記載の発明は、請求項１に記載の搬送ズレ補正機構を備えていることを特徴とする間接転写方式カードプリンタである。
【００１２】
また、請求項３に記載の発明は、請求項１に記載の搬送ズレ補正機構による搬送ズレ補正方法であって、
前記搬送ズレ検知手段が、前記フィルムの搬送ズレを検知するステップ１と、
ステップ１で得た搬送ズレに関する情報に基づき、前記搬送ズレ補正手段の上側または下側の前記スパイラルローラーのどちら側に前記フィルムを接触させるかを決定するステップ２と、
ステップ２で決定した内容に基づいて前記搬送ズレ補正手段を前記移動手段が移動させるステップ３と、
ステップ１〜３を繰り返すことによって、搬送ズレが無くなった場合、前記移動手段が搬送ズレ補正手段を、前記フィルムが上側と下側のいずれのスパイラルローラーとも接しない位置に移動するステップ４と、を備えていることを特徴とする搬送ズレ補正方法である。
【発明の効果】
【００１３】
本発明の搬送ズレ補正機構によれば、転写フィルムやインクリボンなどのフィルムの搬送方向に直交する方向の搬送ズレを、搬送ズレ検知手段が検知した搬送ズレに関する情報に基づき、搬送ズレ修正手段が補正する。そのため、スプロケットが形成できない薄いフィルムからなる転写フィルムやインクリボンであっても、搬送ズレを補正することが可能である。
【００１４】
また、本発明の搬送ズレ補正機構を備えた間接転写方式カードプリンタによれば、本発明の搬送ズレ補正機構を備えているため、搬送ズレを起こすことが無い。
【００１５】
また、本発明の搬送ズレ補正方法によれば、本発明の搬送ズレ補正機構が搬送ズレを補正することを可能とする。
【図面の簡単な説明】
【００１６】
【図１】本発明の搬送ズレ補正機構の構成例とその動作例を説明する説明図であって、（ａ）は概略断面図、（ｂ）は概略上面図、である。
【図２】本発明の搬送ズレ補正機構の構成例とその動作例を説明する説明図であって、（ａ）は概略断面図、（ｂ）は概略上面図、である。
【図３】本発明の搬送ズレ補正機構の構成例とその動作例を説明する説明図であって、（ａ）は概略断面図、（ｂ）は概略上面図、である。
【発明を実施するための形態】
【００１７】
＜搬送ズレ補正機構＞
本発明の搬送ズレ補正機構について、図１〜図３を使用して説明する。
本発明の搬送ズレ補正機構１０は、間接転写方式カードプリンタにおいて、フィルムの搬送が基準の位置で搬送されているかどうか、を検出可能とする頭出しマーク４を備えているフィルム３の搬送ズレを補正する搬送ズレ補正機構である。ここで、基準の位置とは、フィルム巻取りコア２に巻き取られたフィルム３の位置のうち、予め設定した範囲に入るフィルムの位置を指す。具体的には、フィルム３の幅方向の両端部、または片方の端部、のフィルム巻取りコア２における位置で表す事ができる。
【００１８】
本発明の搬送ズレ補正機構１０は、フィルム３を巻き取るフィルム巻取りコア２と、フィルム巻取りコア２の前段に備えられ、搬送ズレを補正する搬送ズレ補正手段１と、搬送ズレ補正手段１の前段に備えられ、フィルム巻取りコア２と搬送ズレ補正手段１と共に、フィルム３を張った状態に支持する搬送路コーナー部シャフト６と、搬送ズレ補正手段１と搬送路コーナー部シャフト６との間に備えられ、フィルム３の流れ方向と直交する方向の搬送ズレを検知する搬送ズレ検知手段５と、を備えている。
【００１９】
搬送ズレ補正手段１は、フィルム３の上側と下側に移動可能な移動手段（図示省略）に、直接又は支持体７を介して接続されて設置されている。
この移動手段は、搬送ズレ検知手段５が検知した搬送ズレに関する情報に基づいて、搬送ズレ補正手段１を移動させる。
【００２０】
また、搬送ズレ補正手段１は、フィルム３の上側と下側に備えられた、少なくとも一対のスパイラルローラー１−１、１−２を備えており、且つ上側と下側のスパイラルローラー１−１、１−２の、それぞれのスパイラルの巻き方向が互いに逆である。この様にすることにより、フィルム３をスパイラルローラー１−１に接触させた時に受ける力の方向は、スパイラルローラー１−２に接触させた時に受ける力の方向とは逆になる。この様にする事により、搬送ズレに関する情報に基づいて、常に搬送ズレを補正する方向の力をフィルム３に加える事が可能となる。
【００２１】
（搬送ズレ補正機構の動作）
図１は、図１（ｂ）に例示した様に、フィルム巻取りコア２の正常な巻取り位置に対して、フィルム３が搬送方向に向って左側にズレた状態を示している。この状態は、まず、搬送ズレ検出手段５によって検出される。検出される情報は、搬送方向に向って右側なのか、左側なのか、を検出すれば良い。更には、どの程度の量（距離）ずれているのか、を検出しても良い。その様な搬送ズレに関する情報を検出すると、その情報に基づき、図１（ａ）に例示した様に、例えば、搬送ズレ補正手段１に備えられているスパイラルローラー１−１にフィルム３が接する様に、搬送ズレ補正手段１を下方に、図示を省略した移動手段により、移動させる。フィルム３がスパイラルローラー１−１に接する事が可能な位置を予め設定しておけば良い。
【００２２】
スパイラルローラー１−１にフィルム３が接すると、スパイラルローラー１−１に備えられているスパイラル構造により、フィルム３が搬送方向に向って右側に移動する力をスパイラルローラー１−１から受けることで、フィルム３は次第に正常な位置に引き戻される。スパイラル構造とは、例えば、円柱状のローラーの表面に、ローラーの軸方向に沿って、螺旋状の凸部が形成されたものである。フィルム３との摩擦係数が大きい材料からなる事が好ましい。また、凸部では無く、平面であっても良い。その場合は、凸部に相当する部位に摩擦係数が大きい材料が形成されており、スパイラルローラー１−１が回転した時に、その駆動力がフィルム３に伝達可能であれば良い。その他は摩擦係数が小さく、フィルム３と接してもスリップしてしまう材料が望ましい。
【００２３】
搬送ズレ検出手段５が次のタイミングで搬送ズレを調べた時に、搬送ズレが依然として補正されていない場合は、スパイラルローラー１−１にフィルム３が接した状態を継続する。
【００２４】
次に、図２について説明する。図２は図１と逆の状態を例示している。図２（ｂ）に示した様に、フィルム巻取りコア２の正常な巻取り位置に対して、フィルム３が搬送方向に向って右側にズレた状態を示している。この状態は、図１の場合と同様に、搬送ズレ検出手段５によって検出される。検出される情報は、搬送方向に向って右側であることが検出される。その搬送ズレに関する情報を検出すると、その情報に基づき、図２（ａ）に例示した様に、例えば、搬送ズレ補正手段１に備えられているスパイラルローラー１−２にフィルム３が接する様に、搬送ズレ補正手段１を上方に、図示を省略した移動手段により、移動させる。フィルム３がスパイラルローラー１−２に接する事が可能な位置を予め設定しておけば良い。
【００２５】
スパイラルローラー１−２にフィルム３が接すると、スパイラルローラー１−２に備えられているスパイラル構造により、フィルム３が搬送方向に向って左側に移動する力をスパイラルローラー１−２から受けることで、フィルム３は次第に正常な位置に引き戻される。
【００２６】
以上、図１および図２に示した様に、本発明の搬送ズレ補正機構１０によれば、フィルム３が搬送方向に向って、左側にずれても、右側にずれても、フィルム巻取りコア２の正常な位置に巻き取られる様に制御する事が可能である。
【００２７】
また、図３に示した様に、フィルム３の巻取り位置が正常な状態では、搬送ズレ検出手段５は、搬送ズレを検出しない。その場合は、搬送ズレ補正手段１は、フィルム３がスパイラルローラー１−１、１−２と接しない位置に移動する。次のタイミングで搬送ズレ検出手段５が搬送ズレを検出しない限り、そのままの状態を継続する。搬送ズレが検出された時点で、上記で説明した動作が行われる。
【００２８】
（搬送ズレ補正手段）
搬送ズレ補正手段１は、
搬送ズレ補正手段１は、間接転写方式のカードプリンタにおけるフィルム巻取りコア２の前段に備えられ、搬送ズレ検出手段５が検出した搬送ズレに関する情報に基づき、搬送ズレを補正する手段である。搬送ズレは、フィルム３がフィルム３の搬送方向に直交する方向のズレである。そのズレを、基準となる位置に戻すことが搬送ズレ補正手段１の役割である。
【００２９】
本発明の搬送ズレ補正手段１は、図１に概念的に示した少なくとも一対のスパイラルロ
ーラー１−１、１−２によって構成される。スパイラルローラー１−１、１−２は、それぞれ２つ以上が備えられていても構わない。ここで、スパイラルローラーとは、円柱状のローラーの表面に、例えば、スパイラル（螺旋）状の凸部が形成されたローラーを指す。この様なスパイラル状の凸部がフィルム３に接すると、ローラーの回転に伴って凸部が移動する方向に沿って、即ち、フィルム３の搬送方向に直交する方向に、力が働く。フィルム３と、スパイラル状の凸部と、がスリップしない限り、フィルム３には、フィルムの搬送方向と直交する方向に力が働く。本発明は、この作用を利用して搬送ズレを補正する。
【００３０】
具体的には、フィルム３の上側と下側に少なくとも一対のスパイラルローラー１−１、１−２を配置しておく。これらのスパイラルローラー１−１、１−２に備えられたスパイラル状に形成された凸部は、互いに反対の巻き方をしている事が必要である。この様にしておくことで、搬送ズレ検出手段５が検出した搬送ズレが、例えば搬送ズレが、搬送方向に向って右側にずれている場合、フィルム３を左側に戻す力が働くスパイラルローラーに接する様にすれば良い。搬送ズレが、その逆の左側にずれている場合は、もう一方のスパイラルローラーに接する様にすれば良い。
【００３１】
上記に説明した様に、搬送ズレ検出手段５が検出した搬送ズレに関する情報に基づき、フィルム３の搬送ズレを補正する事ができるスパイラルローラーにフィルム３を接する様にする方法は、特に限定する必要は無い。例えば、図１に例示した搬送ズレ補正手段１の様に、フィルム３の上側に１つのスパイラルローラー１−１を配置し、フィルム３の下側に１つのスパイラルローラー１−２を配置した構成であれば良い。これらのスパイラルローラー１−１、１−２を支持体７に固定して置き、その支持体７を図示していない移動手段によって、移動することにより、ある場合はフィルム３をスパイラルローラー１−１に接する位置に移動し、ある場合は、スパイラルローラー１−２に接する位置に移動させる事が可能である。
【００３２】
なお、スパイラルローラー１−１、１−２は、回転する手段（図示省略）に接続された状態で、支持体７に固定されている。
【００３３】
（フィルム）
フィルム３は、間接転写方式カードプリンタで使用する転写リボンや中間転写フィルムなど、機械的な強度が弱く、写真フィルムの幅方向の両端に備えられているパーフォレーションを形成してスプロケットによって保持して送る手段が使用できないフィルムが該当する。
【００３４】
（頭出しマーク）
頭出しマーク４は、特に限定されないが、少なくとも、フィルム３の搬送が、搬送方向に平行であるかどうか、を検出可能とするマークであれば良い。例えば、図１に例示した様な、フィルム３の搬送方向に直交する方向に形成された矩形状のパターンが、フィルム３の搬送方向に沿って、任意の間隔で形成されたものであれば良い。その様なパターンが、一定の間隔で形成されたものであっても良いし、ランダムな間隔で形成されたものであっても良い。
【００３５】
（搬送ズレ検出手段）
搬送ズレ検出手段５は、頭出しマーク４を検出可能な手段であれば特に限定するものではない。例えば、頭出しマーク４が遮光性のパターンである場合、フィルム３の搬送方向の先端側の頭出しマーク４の端部が到達した事を検知可能な手段であれば良い。例えば、フォトインタラプタを好適に使用することができる。フォトインタラプタは、発光部と受光部が一定の距離を隔てて向い合わせに配置された装置であり、物体の位置や有無を検知することができる装置である。発光部には、発光ダイオードが使用される事が多いがこれ
に限定する必要は無い。受光部としては、フォトダイオード、フォトトランジスタなどの受光素子や、受光素子とその周辺回路を一体として作製した集積回路であるフォトＩＣが使用される。
【００３６】
＜間接転写方式カードプリンタ＞
上記で説明した搬送ズレ補正機構１０を備えた間接転写方式カードプリンタは、転写フィルムやインクリボンの様なパーフォレーションを形成できない薄いフィルムであっても、搬送ズレを抑制することが可能であり、フィルム巻取りコア２における巻きズレを防止することができる。
【００３７】
＜搬送ズレ補正方法＞
本発明の搬送ズレ補正機構１０を使用した搬送ズレ補正方法について説明する。
本発明の搬送ズレ補正方法は、搬送ズレ検知手段５が、フィルム３の搬送ズレを検知するステップＡと、ステップＡで得た搬送ズレに関する情報に基づき、搬送ズレ補正手段１が搬送ズレを補正するステップＢと、を備えている。
【００３８】
更に詳しくは、本発明の搬送ズレ補正方法は、搬送ズレ検知手段５がフィルム３の搬送ズレを検知するステップ１と、ステップ１で得た搬送ズレに関する情報に基づき、搬送ズレ補正手段１の上側のスパイラルローラー１−１または下側のスパイラルローラー１−２のいずれにフィルム３を接触させるかを決定するステップ２と、ステップ２で決定した内容に従って、搬送ズレ補正手段１を移動手段（図示省略）が移動するステップ３と、ステップ１〜３を繰り返すことによって、搬送ズレが無くなった場合、搬送ズレ補正手段１を、フィルム３が上側のスパイラルローラー１−１とも、下側のスパイラルローラー１−２とも、接しない位置に移動するステップ４と、を備えている。
【００３９】
なお、ステップ１は、フィルム３に形成された頭出しマーク４を搬送ズレ検知手段５が検知することによって実施される。
【符号の説明】
【００４０】
１・・・搬送ズレ補正手段
１−１、１−２・・・スパイラルローラー
２・・・フィルム巻取りコア
３・・・フィルム
４・・・頭出しマーク
５・・・搬送ズレ検出手段
６・・・搬送路コーナー部シャフト
７・・・支持体
１０・・・搬送ズレ補正機構
【図１】
2020125165.tif 000003
【図２】
2020125165.tif 000004
【図３】
2020125165.tif 000005